(57)【特許請求の範囲】
【請求項１】
横枠材および縦枠材により組み立てられた矩形の枠体の前後いずれかの側または両側に面材が配設され、縦枠材間で補強材が面材の裏面に密着して配設される間仕切り壁パネルにおいて、補強材が、その左右両側端と縦枠材の間に一定の間隔をあけて設けられ、その間隔は、補強材にねじ込まれるネジの軸部分の直径の１／２未満の大きさとされていることを特徴とする間仕切り壁パネル。
【発明の詳細な説明】
【技術分野】
【０００１】
本願発明は、間仕切り壁パネルに関する。
【背景技術】
【０００２】
間仕切り壁を形成する間仕切り壁パネルは、たとえば図４（ａ）（ｂ）に示したように、上下に配置された横枠材１の間に縦枠材２を等間隔で並べて組み立てられた枠体３の前後いずれかの側または両側に石膏ボードなどの面材４が配設されて形成される（特許文献１）。
【０００３】
手摺などの部材を取り付ける場合、取付強度を補うために、図５に示したように、間仕切り壁パネルには、縦枠材２の間に下地用の補強材５が配設される。補強材５は、先に取り付けられた面材４には、その裏面に接着剤などにより直接貼着され、後で取り付ける面材４に対しては、桁材６を設けて高さ調節し、面材４の裏面に密着して貼着されるようにしている。
【０００４】
このような補強材５を間仕切り壁パネルに配設するに当たって、従来では、図６に示したように、補強材５と縦枠材２の間に隙間が形成されないように、補強材５の横幅寸法と縦枠材２間の内寸法を同一にしていた。これは、補強材５と縦枠材２の間に隙間が形成された場合、その隙間にネジが入り、所要の取付強度が得られなくなることを避けるという配慮によっている。
【特許文献１】特開平８−２３９９４７号公報
【発明の開示】
【発明が解決しようとする課題】
【０００５】
しかしながら、実際には、たとえば中央などの枠体３の内側に位置する縦枠材２は、組み立ての誤差にともなって設計位置より左右いずれかにずれて配設されることがあり、この場合、設計寸法に調節された補強材５を縦枠材２間に配設すると、図７に示したように、補強材５の左右両側端と縦枠材２の間に隙間が形成される。この隙間によりネジ固定が不確実となる。
【０００６】
また、設計寸法より狭くなった縦枠材２の間には、補強材５が入らなくなり、または、補強材５を入れようとすると、側端に位置する縦枠材２が外側にずれたり、変形したりして仕上がり寸法に影響が出る。
【０００７】
本願発明は、このような事情に鑑みてなされたものであり、組み立ての誤差にともなって内側の縦枠材が位置ずれを起こし、補強材の左右両側端と縦枠材の間の間隔が最大となっても、ネジ固定を確実に行うことができ、パネルの仕上がり寸法に影響が出ない間仕切り壁パネルを提供することを課題としている。
【課題を解決するための手段】
【０００８】
本願発明は、上記の課題を解決するために、横枠材および縦枠材により組み立てられた矩形の枠体の前後いずれかの側または両側に面材が配設され、縦枠材間で補強材が面材の裏面に密着して配設される間仕切り壁パネルにおいて、補強材が、その左右両側端と縦枠材の間に一定の間隔をあけて設けられ、その間隔は、補強材にねじ込まれるネジの軸部分の直径の１／２未満の大きさとされていることを特徴としている。
【発明の効果】
【０００９】
本願発明によれば、組み立ての誤差にともなって内側の縦枠材が位置ずれを起こし、補強材の左右両側端と縦枠材の間に隙間が生じても、最大の隙間寸法は、あらかじめ補強材の左右両側端と縦枠材の間にあけていた間隔の２倍に抑えられ、間隔は、ネジの軸部分の直径の１／２未満であるので、（最大隙間）＜（ネジの軸部分の直径）の関係が成り立ち、ネジ固定が確実となる。
【００１０】
また、内側の縦枠材が位置ずれしても、縮小される縦枠材間の間隔は補強材の横幅分確保されるため、補強材の配設は可能であり、間仕切り壁パネルの仕上がり寸法に縦枠材の位置ずれの影響は出ない。
【発明を実施するための最良の形態】
【００１１】
図１は、本願発明の間仕切り壁パネルの一実施形態を示した断面図である。
【００１２】
枠体３には、左端、右端および中央の３箇所に縦枠材２が設けられている。石膏ボードなどの面材４は枠体３の片側に配設されている。補強材５は、左端と中央の縦枠材２の間、中央と右端の縦枠材２の間のそれぞれに設けられている。補強材５の左右両側端と縦枠材２の間には一定の間隔ｄがあけられている。間隔ｄは、図２に示した手摺などの部材の取り付けに用いられるネジ７の軸部分の直径Ｒの１／２未満の大きさとされている。すなわち、ｄ＜（１／２）Ｒの関係が成り立つようにしている。補強材５は、間隔ｄをあけて縦枠材２の間に配設されているため、ｄ＜（１／２）Ｒの関係により、ネジ７が間隔ｄに入るようにねじ込まれても、ネジ７は補強材５に確実にねじ込まれ、間隔ｄを設けていることによる取付強度の低下は起こらない。
【００１３】
このような間仕切り壁パネルの組み立てにおいて誤差が生じ、図３に示したように、中央の縦枠材２が右側にずれて配設されると、中央と右端の縦枠材２の間に設けられる補強材５の左右両側端と縦枠材２の間の間隔ｄがなくなり、中央と右端の縦枠材２の間の間隔は補強材５の横幅寸法と同一となる。一方、左端と中央の縦枠材２の間に設けられる補強材５は、左端と中央の縦枠材２から等しい間隔で配設されるため、補強材５の左右両側端と縦枠材２の間の間隔は最大で２ｄに拡大され、隙間が生じる。だが、間隔ｄは、図２に示したネジ７の軸部分の直径Ｒの１／２未満の大きさとされているため、２ｄ＜Ｒの関係が成り立つ。したがって、補強材５の左右両側端と縦枠材２の間に２ｄの大きさの隙間が形成されても、軸部分の直径がＲであるネジ７は、その隙間に入ったとしても補強材５に食い込み、ネジ固定が可能である。
【００１４】
このように、図１に示した間仕切り壁パネルでは、組み立ての誤差にともなって中央の縦枠材２が位置ずれを起こし、補強材５の左右両側端と縦枠材２の間に隙間が生じても、最大の隙間寸法は、あらかじめ補強材５の左右両側端と縦枠材２の間にあけていた間隔ｄの２倍に抑えられ、間隔ｄは、ネジ７の軸部分の直径Ｒの１／２未満であるので、（最大隙間２ｄ）＜（ネジの軸部分の直径Ｒ）の関係が成り立ち、ネジ固定が確実となっている。
【００１５】
また、中央の縦枠材２が位置ずれしても、縮小される縦枠材２間の間隔は補強材５の横幅分確保されるため、補強材５の配設は可能であり、間仕切り壁パネルの仕上がり寸法に縦枠材２の位置ずれの影響は出ない。
【００１６】
手摺などの部材の取り付けに用いられる通常のネジの径φは、最小のもので概ね３．５ｍｍ〜４．５ｍｍであり、軸部分の直径Ｒは２．５ｍｍ〜２．６ｍｍである。したがって、補強材５の左右両側端と縦枠材２の間の間隔ｄを１ｍｍ程度にすることにより、上記の効果が達成される。最大の隙間２ｄは２ｍｍ程度であり、２ｍｍ＜２．５ｍｍ〜２．６ｍｍの関係が成り立つからである。
【図面の簡単な説明】
【００１７】
【図１】本願発明の間仕切り壁パネルの一実施形態を示した断面図である。
【図２】手摺などの部材の取り付けに用いられるネジを示した側面図と要部拡大側面図である。
【図３】図１に示した間仕切り壁パネルにおいて、組み立ての誤差が生じたときの状態を示した断面図である。
【図４】（ａ）（ｂ）は、それぞれ、一般的な間仕切り壁パネルを例示した斜視図である。
【図５】図４に示した間仕切り壁パネルにおいて、手摺などの部材を取り付けるための補強材の配設について示した分解斜視図である。
【図６】従来の補強材が配設された間仕切り壁パネルの断面図である。
【図７】図６に示した間仕切り壁パネルにおいて、組み立ての誤差が生じたときの状態を示した断面図である。
【符号の説明】
【００１８】
２    縦枠材
３    枠体
４    面材
５    補強材
７    ネジ
【図１】
0004449874.tif 000002
【図２】
0004449874.tif 000003
【図３】
0004449874.tif 000004
【図４】
0004449874.tif 000005
【図６】
0004449874.tif 000006
【図７】
0004449874.tif 000007
【図５】
0004449874.tif 000008